(57)【要約】【課題】ハンドルを握って吊し運ぶ際、容器姿勢を安定に保持し得ると共に、ハンドル不使用の際、収納性に優れる折り畳みハンドル付き容器を提供すること。【解決手段】容器本体１と、容器本体１の天板に付設されるハンドル２を有し、天板の表面には、折り畳まれた２本のハンドルが収納される凹部３が形成されており、凹部３を形成する左右の側壁４ａ、４ｂの前部に前後方向に延びる前方の第１係止溝５ａと後方の第２係止溝５ｂが形成され、２本のハンドル２ａ、２ｂは、把持部と、把持部の両端から延びる一対の脚部からなるコ字形状のハンドル部と、を有し、脚部の先端には、側方向で且つ互いに反対方向に延びる突起を有し、一方の一対の突起は第１係止溝に、他方の一対の突起は、第２係止溝にそれぞれ係止し、把持部である握り部を握ることで、２つのハンドル部を逆Ｖ字形状に起立させ、容器本体を吊り下げ持ち、握りを解除して、２つのハンドル部を倒伏させ、凹部に収納させる。【選択図】図１
2019119506.tif 000002
【特許請求の範囲】
【請求項１】
容器本体と、該容器本体の天板に付設される折り畳み自在のハンドルとを有し、
該天板の表面には、折り畳まれたハンドルが収納される凹部が形成されており、
該凹部を形成する左右の側壁の前部に前後方向に延びる第１係止溝及び該左右の側壁の後部に前後方向に延びる第２係止溝が形成され、
該ハンドルは、第１把持部と、該第１把持部の両端から延びる一対の第１脚部からなるコ字形状の第１ハンドル部と、
該第１把持部と共に握り部を形成する第２把持部と、該第２把持部の両端から延びる一対の第２脚部からなるコ字形状の第２ハンドル部と、を有し、
該一対の第１脚部の先端には、側方向で且つ互いに反対方向に延びる第１突起を有し、
該一対の第２脚部の先端には、側方向で且つ互いに反対方向に延びる第２突起を有し、
該第１突起は、該第１係止溝に係止し、該第２突起は、該第２係止溝に係止し、
該第１把持部と該第２把持部で形成される握り部を握ることで、第１ハンドル部と第２ハンドル部を起立させ、逆Ｖ字形状を形成して容器本体を吊り下げ持ち、握りを解除して、第１ハンドル部と第２ハンドル部を倒伏させ、該凹部に収納させることを特徴とする折り畳みハンドル付き容器。
【請求項２】
該第１係止溝の後方端は、ハンドル吊り下げ時、第１突起が当たり、第１ハンドル部の移動を規制するものであり、該第２係止溝の前方端は、ハンドル吊り下げ時、第２突起が当たり、第２ハンドル部の移動を規制するものであることを特徴とする請求項１記載の折り畳みハンドル付き容器。
【請求項３】
該ハンドル倒伏時、該第１ハンドル部と該第２ハンドル部の上面は、該容器本体の天板と面一の仮想面と同一面又は該仮想面より下方に位置することを特徴とする請求項１又は２記載の折り畳みハンドル付き容器。
【請求項４】
与薬用であることを特徴とする請求項１〜３のいずれか１項に記載の折り畳みハンドル付き容器。
【発明の詳細な説明】
【技術分野】
【０００１】
本発明は、２つのハンドルの把持部を合わせて逆Ｖ字形状にして握る折り畳みハンドル付き容器に関するものである。
【背景技術】
【０００２】
小物入れ容器、薬入れ容器、工具箱などの容器は、概ね長さ２５０〜３５０ｍｍ、奥行１８０ｍｍ〜２８０ｍｍ、高さ８０〜２５０ｍｍであり、持ち運び自在とするため、ハンドル付き容器が使用されることが多い。
【０００３】
ハンドル付き容器で使用されるハンドルは、把持部である中尺状部材の両端から直角に延びる脚部を有するコ字形状のハンドルが１本のもの、あるいは２つのハンドルの把持部を合わせて逆Ｖ字形状にして握る２本ハンドルのものが知られている。２本ハンドルの場合、１本ハンドルに比べて、ハンドルを握って吊し運ぶ際、容器姿勢を安定に支持して運ぶことができる。
【０００４】
２本ハンドルのハンドル付き容器として、特開２０１４−８３５０号公報の図４には、２本のハンドル部を容器本体の側板に回動自在に取りつけた支持盤保持体（容器）Ｔが開示されている。支持盤保持体Ｔのハンドルの場合、容器本体形状に沿った大きな形状であるため、容器本体の外側に収納でき、且つ蓋部が嵌った状態であっても、吊り下げが可能である。
【０００５】
また、特開２０１７-６１３２９号公報には、直方体形状である容器天面の対向する２稜線部に配置される一対のハンドルにおいて、天面上方で両ハンドルの握持部を一体化するものであって、各ハンドルは一対の長さ部分と一本の幅部分とからなる「コ」形であり、片方のハンドルの該長さ部分対向面両面には幅が広がる方向に向かって穿設された溝レールが設けられており、他方のハンドルの長さ方向外側面両面には、該溝レールに嵌りながら摺動する摺動突起が設けられており、且つ該溝レールは、該摺動突起を該溝レールに出し入れするための切欠を有するものであって該切欠は、両ハンドルの対向面側に設けられていることを特徴とするハンドルが開示されている。このハンドルの場合、側板に取り付けられた２本のハンドル部の取り付け位置は、比較的離れており（図６）、ハンドルを握って吊す際、容器姿勢を安定に保持して運ぶことができる。
【先行技術文献】
【特許文献】
【０００６】
【特許文献１】特開２０１４−８３５０号公報（図４）
【特許文献２】特開２０１７-６１３２９号公報
【発明の開示】
【発明が解決しようとする課題】
【０００７】
しかしながら、特開２０１４−８３５０号公報のハンドル付き支持盤保持体Ｔにおいて、側板に取り付けられた２本のハンドル部の取り付け位置は、比較的近く、２つのハンドルの把持部を合わせて吊るされた形状は、逆Ｖ字形状と言うより、Ｉ字形状に近い。このため、ハンドルを握って吊し運ぶ際、容器姿勢を安定に保持し難い。特開２０１７-６１３２９号公報の場合、ハンドルを使用しない場合、図２のように、ハンドルを容器に垂れ下がり状に吊り下げたままであるか、取り外すものである。これでは、ハンドルを使用しない際の容器やハンドルの保管に場所を採り、やっかいとなる。
【０００８】
従って、本発明の目的は、ハンドルを握って吊し運ぶ際、容器姿勢を安定に保持し得ると共に、ハンドル不使用の際、収納性に優れる折り畳みハンドル付き容器を提供することにある。
【課題を解決するための手段】
【０００９】
すなわち、本発明は上記従来の課題を解決するものであって、容器本体と、該容器本体の天板に付設される折り畳み自在のハンドルとを有し、該天板の表面には、折り畳まれたハンドルが収納される凹部が形成されており、該凹部を形成する左右の側壁の前部に前後方向に延びる第１係止溝及び該左右の側壁の後部に前後方向に延びる第２係止溝が形成され、該ハンドルは、第１把持部と、該第１把持部の両端から延びる一対の第１脚部からなるコ字形状の第１ハンドル部と、該第１把持部と共に握り部を形成する第２把持部と、該第２把持部の両端から延びる一対の第２脚部からなるコ字形状の第２ハンドル部と、を有し、該一対の第１脚部の先端には、側方向で且つ互いに反対方向に延びる第１突起を有し、該一対の第２脚部の先端には、側方向で且つ互いに反対方向に延びる第２突起を有し、該第１突起は、該第１係止溝に係止し、該第２突起は、該第２係止溝に係止し、該第１把持部と該第２把持部で形成される握り部を握ることで、第１ハンドル部と第２ハンドル部を起立させ、逆Ｖ字形状を形成して容器本体を吊り下げ持ち、握りを解除して、第１ハンドル部と第２ハンドル部を倒伏させ、該凹部に収納させることを特徴とする折り畳みハンドル付き容器を提供するものである。
【００１０】
また、本発明は、該第１係止溝の後方端は、ハンドル吊り下げ時、第１突起が当たり、第１ハンドル部の移動を規制するものであり、該第２係止溝の前方端は、ハンドル吊り下げ時、第２突起が当たり、第２ハンドル部の移動を規制するものであることを特徴とする前記折り畳みハンドル付き容器を提供するものである。
【００１１】
また、本発明は、該ハンドル倒伏時、該第１ハンドル部と該第２ハンドル部の上面は、該容器本体の天板と面一の仮想面と同一面又は該仮想面より下方に位置することを特徴とする前記折り畳みハンドル付き容器を提供するものである。
【００１２】
また、本発明は、与薬用であることを特徴とする前記折り畳みハンドル付き容器を提供するものである。
【発明の効果】
【００１３】
本発明によれば、ハンドルを握って吊し運ぶ際、容器姿勢を安定に保持し得ると共に、ハンドル不使用の際、収納性に優れる。
【図面の簡単な説明】
【００１４】
【図１】本発明の実施の形態における折り畳みハンドル付き容器の斜視図である。
【図２】本発明の実施の形態における折り畳みハンドル付き容器の他の斜視図である。
【図３】図１の折り畳みハンドル付き容器を構成するハンドルの分解斜視図である。
【図４】図１の折り畳みハンドル付き容器が付設される容器本体の断面図である。
【図５】ハンドルを起立させた吊り下げ状態における断面図である。
【図６】ハンドルの折り畳み途中における断面図である。
【図７】ハンドルの折り畳み後における断面図である。
【図８】ハンドルの折り畳み後における平面図である。
【発明を実施するための形態】
【００１５】
本発明において、折り畳みハンドル付き容器としては、持ち運びができるものであり、例えば小物入れ容器、与薬用容器及び工具箱などが挙げられる。与薬用容器とは、入院患者等に配薬する医薬品類を、患者、日時毎に、個別に収容する容器を複数個、収納した容器である。また、ハンドルが付設される容器本体の天板としては、容器が蓋部を有するものは、蓋部の天板であり、蓋部が側面に取り付けられるものは、容器本体の天板である。すなわち、本発明において、容器本体とは、上方の蓋部を有するものは蓋部を含めたものであり、上方の蓋部がない場合、容器本体そのものを言う。
【００１６】
本発明において、天板に付設される折り畳まれたハンドルが収納される凹部としては、平坦面を有する天板に形成される凹部、平坦面を有する天板に島状の凸部が形成されており、その凸部に形成される凹部が挙げられる。すなわち、天板形状は特に制限されない。
【００１７】
本発明において、凹部としては、折り畳まれたハンドルが収納されるものであり、少なくとも、凹部を形成する左右の縦壁面を有する。凹部の形状としては、内容積が板状となる一様な形状の他、折り畳みハンドル形状の凹部に加えて、指の入る一部の凹部が形成されたものであってもよい。凹部の高さは、概ねハンドルの最大厚みと同じであることが、ハンドル収納の際、ハンドル全体が凹部に埋没でき、容器に凹凸が発生せず、収納整理に都合がよい点で好ましい。すなわち、本発明において、折り畳まれたハンドルは、凹部内に、全体が埋没するものの他、折り畳まれたハンドルの上部が凹部からはみ出すような、一部が収納されるものも含む。また、凹部の平面視における大きさは、折り畳まれたハンドルの全体の外形状であることが好ましい。
【００１８】
次に、本発明の実施の形態における折り畳みハンドル付き容器（以下、単に「ハンドル付き容器」とも言う。）を図１〜図８を参照して説明する。図１中、符号Ｘが前方、符号Ｙが後方を示す。ハンドル付き容器１０は、容器本体１と、容器本体１の天板１１に付設される折り畳み自在のハンドル２とを有する。容器本体１は、蓋部１ａと、本体部１ｂからなり、ハンドル２は、蓋部１ａの天板１１に付設されている。ハンドル付き容器１０において、本体部１ｂは、底板及び４つの側板を有し、天板のない箱状容器である。また、蓋部１ａは、天板１１及び４つの側板を有し、底板のないものである。蓋部１ａは、本体部１ｂに対して公知の付設手段（不図示）で開閉自在に取り付けられている。
【００１９】
ハンドル付き容器１０において、天板１１の表面には、折り畳まれたハンドル２が収納される凹部３が形成されている。凹部３は、天板１１のほぼ中央にくり抜き状に形成され、平面視が略四角形で略均一な深さを有する。すなわち、凹部３の平面視形状は、折り畳まれたハンドルの見かけ外形（最外形点を結んだ仮想線）で形成される四角形よりやや大の四角形であり、深さは、折り畳まれたハンドルの厚みよりやや大のものである。これにより、折り畳まれたハンドル全体が凹部に埋没でき、凹部から突出する部分が発生せず、収納整理に都合がよい。
【００２０】
ハンドル付き容器１０において、凹部３を形成する左右の側壁４ａ、４ｂの前部に、前後方向に延びる第１係止溝５ａ、５ａが形成され、左右の側壁４ａ、４ｂの後部に前後方向に延びる第２係止溝５ｂ、５ｂが形成されている。第１係止溝５ａ、５ａには、第１ハンドル２ａの第１脚部２１ａの第１突起２３ａが前後方向に摺動自在に係止し、第２係止溝５ｂ、５ｂには、第２ハンドル２ｂの第２脚部２１ｂの第２突起２３ｂが前後方向に摺動自在に係止する。第１係止溝５ａ、５ａ及び第２係止溝５ｂ、５ｂは、共に、側壁に形成されるため、溝深さは側方に延びる長さである。第１係止溝５ａ、５ａと第２係止溝５ｂ、５ｂは、互いに連続することなく、離れて形成されている。すなわち、第１係止溝５ａ、５ａは、溝の前方端と溝の後方端を有し、第２係止溝５ａ、５ｂは、溝の前方端と溝の後方端を有している。
【００２１】
ハンドル付き容器１０において、ハンドル２は、図３に示すように、第１把持部２１ａと、第１把持部２１ａの両端から延びる一対の第１脚部２２ａ、２２ａからなるコ字形状の第１ハンドル部２ａと、第１把持部２１ａと共に握り部を形成する第２把持部２１ｂと、第２把持部２１ｂの両端から延びる一対の第２脚部２２ｂ、２２ｂからなるコ字形状の第２ハンドル部２ｂと、を有し、一対の第１脚部２２ａ、２２ａの先端には、側方向で且つ互いに反対方向に延びる第１突起２３ａ、２３ａを有し、一対の第２脚部２２ｂ、２２ｂの先端には、側方向で且つ互いに反対方向に延びる第２突起２３ｂ、２３ｂを有している。一対の第１脚部２２ａ、２２ａ、一対の第２脚部２２ｂ、２２ｂ、第１把持部２１ａ及び第２把持部２１ｂは、扁平状の板状体であり、折り畳まれた際、全体が一様の厚さを有するものである。
【００２２】
第１ハンドル部２ａの第１把持部２１ａは、両端部が切り欠かれ、中央の突起を形成することで段差が形成されている。この段差を構成する中央の突起の両側端の壁には、側方に延びる小突起２４ａ、２４ａが形成されている。また、第２ハンドル部２ｂの第２把持部２１ｂは、第１把持部２１ａの中央の突起に対応する凹状を形成することで段差が形成されている。この段差を構成する中央の凹状の両側端の壁には、側方に延びる丸穴２４ｂ、２４ｂが形成されている。小突起２４ａ、２４ａと丸穴２４ｂ、２４ｂが係止することで、ヒンジ結合を形成する。すなわち、第１ハンドル部２ａと第２ハンドル部２ｂは、逆Ｖ字形状となる一定の開脚度から１８０度開脚の折り畳み形状まで、回動自在に係止している。第１ハンドル部２ａと第２ハンドル部２ｂで形成される一定の開脚度としては、３０度〜９０度、好ましくは５０〜７０度である。
【００２３】
ハンドル付き容器１０において、第１ハンドル部２ａの第１突起２３ａ、２３ａは、第１係止溝５ａ、５ａに係止し、第２ハンドル部２ｂの第２突起２３ｂ、２３ｂは、第２係止溝５ｂ、５ｂに係止する。これにより、第１把持部２１ａと第２把持部２１ｂで形成される握り部２１を握ることで、第１ハンドル部２ａと第２ハンドル部２ｂは起立し、逆Ｖ字形状を形成して容器本体１を吊り下げ持つことができる。また、握りを解除して、第１ハンドル部２ａと第２ハンドル部２ｂを倒伏させれば、凹部３に収納できる。
【００２４】
次に、ハンドル付き容器１０の使用方法について、図５〜図８を参照して説明する。先ず、ハンドル付き容器１０を持ち運びの際、第１把持部２１ａと第２把持部２１ｂで形成される握り部２１を握り、持ち上げる。この際、第１ハンドル部２ａの第１突起２３ａ、２３ａは、第１係止溝５ａ、５ａ内を連動して後方側に移動して、第１係止溝５ａ、５ａの後方端壁に当たり、第２ハンドル部２ｂの第２突起２３ｂ、２３ｂは、第２係止溝５ｂ、５ｂ内を連動して前方側に移動して、第２係止溝５ｂ、５ｂの前方端壁に当たり、停止する。すなわち、ハンドル２の動きが規制される。これにより、ハンドル２は、逆Ｖ字形状を形成して容器本体１を吊り下げ持つことができる（図１及び図５）。ハンドル付き容器１０は、２本ハンドルであるため、容器姿勢を安定に保持して運ぶことができる。
【００２５】
次に、ハンドル付き容器１０の持ち運びを止め、静置または保管する場合について説明する。第１把持部２１ａと第２把持部２１ｂで形成される握り部２１の握りを解除する際、第１ハンドル部２ａ及び第２ハンドル部２ｂの重さにより自然に折り畳まれるか、あるいは握り部２１を下方に押し込むことで、第１ハンドル部２ａ及び第２ハンドル部２ｂは、折り畳まれる。すなわち、第１ハンドル部２ａの第１突起２３ａ、２３ａは、第１係止溝５ａ、５ａ内を連動して前方側に移動して、第１係止溝５ａ、５ａの前方端壁に当たり、第２ハンドル部２ｂの第２突起２３ｂ、２３ｂは、第２係止溝５ｂ、５ｂ内を連動して後方側に移動して、第２係止溝５ｂ、５ｂの後方端壁に当たり、停止する。すなわち、ハンドル２の動きが規制される。これにより、ハンドル２は、倒伏して、凹部３に収納される（図２、図６〜図８）。ハンドル付き容器１０において、ハンドル２倒伏時、第１ハンドル部２ａと第２ハンドル部２ｂの上面は、容器本体の天板と面一の仮想面と同一面又は該仮想面より下方に位置するため、ハンドル不使用の際、ハンドル２は、収納性に優れる。
【００２６】
本発明は、上記実施の形態例に限定されず、種々の変形を採ることができる。ハンドルにおける把持部及び脚部の形状は、扁平状の板状体に限定されず、例えば、円形断面形状、楕円形断面形状、不定形断面形状であってもよい。また、第１把持部と第２把持部のヒンジ結合は、突起と丸穴の係止の他、公知のヒンジ結合を使用できる。また、第１把持部と第２把持部は、両者が一体化してひとつの握り部を形成していなくともよく、別の部材として、把持する際、両者が握れる握り部であればよい。
【００２７】
本発明のハンドル付き容器を例えば、与薬用に使用すれば、２本ハンドルのため、持ち運びの際、安定して運べる。このため、容器内に入れた薬剤入り小箱が崩れる心配がない。また、不使用時や保管時は、ハンドルが凹部に収納されており、容器全体形状から突出する部分がなく、患者への与薬の際、ハンドルに当たって容器が転倒するような事故は発生しない。また、ハンドル付き容器を収納する棚段の高さは低くてもよく、棚段をコンパクト化できる。
【産業上の利用可能性】
【００２８】
本発明によれば、ハンドルを握って吊し運ぶ際、容器姿勢を安定に保持し得ると共に、ハンドル不使用の際、収納性に優れる。特に病院などで患者に与える薬を入れた与薬用容器として好適である。
【符号の説明】
【００２９】
１    容器本体
２    ハンドル
２ａ  第１ハンドル部
２ｂ  第２ハンドル部
３    凹部
４、４ａ    凹部を構成する側壁
５ａ  第１係止溝
５ｂ  第２係止溝
１０    ハンドル付き容器
２１    把持部
２２    脚部
２３    突起 
【図１】
2019119506.tif 000003
【図２】
2019119506.tif 000004
【図３】
2019119506.tif 000005
【図４】
2019119506.tif 000006
【図５】
2019119506.tif 000007
【図６】
2019119506.tif 000008
【図７】
2019119506.tif 000009
【図８】
2019119506.tif 000010